(57)【要約】【課題】比較的大形の光源装置であってもシャーシを比較的小型の金型により生産性よく成形することができ、しかも、比較的大形のシャーシを高強度にすることができるとともに、歩留まりを高めることができる光源装置を提供する。【解決手段】離隔して平行的に配される二つの第１の角筒体１１，１１、及び第１の角筒体１１，１１の両端に連結される二つの第２の角筒体１２，１２とにより四角形に形成される枠体１と、該枠体１に並置される複数の板体２，３，４とを備え、板体２，３，４の互いに対向する対向縁部を第１及び第２の角筒体１１，１２の連結箇所と枠体１の周方向へ離隔させ、板体２，３，４夫々の周縁部に開設されている挿通孔に挿通する雄螺子の捩込みにより板体２，３，４を枠体１に取付けた。【選択図】図３
2009054479.tif 000002
【特許請求の範囲】
【請求項１】
内部に複数のランプが配されるシャーシを備える光源装置において、前記シャーシは、複数の枠分体を四角形に連結してある枠体と、該枠体に並置して取付けられている複数の板体とを有することを特徴とする光源装置。
【請求項２】
隣合う板体の対向縁部は前記枠分体の連結箇所と前記枠体の周方向へ離隔している請求項１記載の光源装置。
【請求項３】
前記板体夫々は、板部及び隣合う板部の非対向縁から立上がる立上片を有し、該立上片夫々が枠形をなすように前記板体夫々を前記枠体に取付けてある請求項１又は２記載の光源装置。
【請求項４】
前記枠分体夫々は前記枠体の四辺に配してある筒体であり、四辺の角部夫々は、隣合う二つの筒体の一方が、他方の筒体の端末と対向している周面に嵌入孔を有し、他方が、端末よりも外方へ延出され、前記嵌入孔に嵌入されている嵌入軸を有し、該嵌入軸が前記嵌入孔から抜出るのを阻止する抜止手段を備える請求項１から３のいずれか一つに記載の光源装置。
【請求項５】
前記枠体は前記立上片夫々の外側に配してある請求項３又は４記載の光源装置。
【請求項６】
前記枠体は前記立上片夫々の内側に配してある請求項３又は４記載の光源装置。
【請求項７】
前記枠体は前記板部夫々の外側に配してある請求項３又は４記載の光源装置。 
【発明の詳細な説明】
【技術分野】
【０００１】
本発明は液晶表示装置等の表示装置の光源として使用される光源装置に関する。
【背景技術】
【０００２】
テレビジョン等の薄型表示装置は、画像を表示する画像表示面を前側に有する表示部の後側に光源装置が配されている。
【０００３】
光源装置は、例えば両端部に電極を有する複数本のランプと、直方体をなす枠体及び該枠体の開放部を閉塞する蓋板を有し、内部に前記ランプが並置されるシャーシとを備える。枠体は鉄板等の一枚の金属板を直方体に成形してなり、また、蓋板はアルミニウム板、鉄板等の一枚の金属板からなり、該蓋板の周縁部が複数の雄螺子により枠体に取付けられている。
【０００４】
また、光源装置におけるシャーシとして、端部の周面に螺子挿通孔を有し、離隔して平行的に配される二つの角筒体と、略コ字形にダイキャスト成形され、前記二つの角筒体内に嵌入される凸片を両端に設けてある二つの連結部材とを有し、連結部材夫々の凸片が角筒体夫々の両端部内に嵌入され、前記螺子挿通孔に挿通される雄螺子を、前記凸片に開設されている螺子孔に捩込むことにより直方体をなす枠体が形成され、該枠体に、一枚の金属板からなる蓋板の周縁部が複数の雄螺子により取付けられているものが知られている（例えば、特許文献１参照）。
【特許文献１】特開２００２−６７５５号公報
【発明の開示】
【発明が解決しようとする課題】
【０００５】
ところで、一枚の金属板を成形してなる枠体、及び一枚の金属板からなる蓋板を有するシャーシは、枠体及び蓋板を簡易に成形することができる。しかし、近年の薄型表示装置は益々大型化されており、薄型表示装置に用いられる光源装置も益々大型化されているため、金属板を成形してなる枠体は、全体的に捩じれて変形し易い。
【０００６】
また、特許文献１のように一対の角筒体と、略コ字形に成形された一対の連結部材とにより四角形に形成されている枠体に、一枚の金属板からなる蓋板が取付けられているシャーシにあっては、蓋板成形用の超大型の金型が必要であり、蓋板の生産効率及び蓋板生産設備に関わる費用が高くなり、蓋板の製造コスト、ひいてはシャーシのコスト、光源装置のコストが増加することになり、また、蓋板の一部に不良が発生しているとき、不良箇所の修理が困難であり、蓋板の全部を交換する必要があり、改善策が要望されていた。
【０００７】
本発明は斯かる事情に鑑みてなされたものであり、主たる目的は複数の枠分体を四角形に連結してある枠体と、該枠体に並置して取付けられている複数の板体とを有するシャーシ構成とすることにより、比較的大形の光源装置であってもシャーシを比較的小型の金型により生産性よく成形することができ、しかも、比較的大形のシャーシを高強度にすることができるとともに、歩留まりを高めることができる光源装置を提供することにある。
【課題を解決するための手段】
【０００８】
本発明に係る光源装置は、内部に複数のランプが配されるシャーシを備える光源装置において、前記シャーシは、複数の枠分体を四角形に連結してある枠体と、該枠体に並置して取付けられている複数の板体とを有することを特徴とする。
この発明にあっては、比較的大形の光源装置であっても、枠体及び板体を有するシャーシを比較的小型の金型により生産性よく成形することができ、しかも、複数の枠分体を四角形に連結してある枠体に、複数の板体が並置して取付けられているため、比較的大形のシャーシを高強度にすることができる。また、板体の一部に不良が発生したとしても、不良が発生している板体だけを交換することによりシャーシを得ることができ、歩留まりを高めることができる。
【０００９】
また、本発明に係る光源装置は、隣合う板体の対向縁部は前記枠分体の連結箇所と前記枠体の周方向へ離隔している構成とするのが好ましい。
この発明にあっては、複数の枠分体を四角形に連結してある枠体の連結箇所と、隣合う板体の対向縁部とが枠体の周方向へ離隔しているため、簡易な構造でシャーシの捻れ剛性を高めることができ、比較的大形の光源装置であっても、高剛性のシャーシを備える光源装置のコストを低減できる。
【００１０】
また、本発明に係る光源装置は、前記板体夫々は、板部及び隣合う板部の非対向縁から立上がる立上片を有し、該立上片夫々が枠形をなすように前記板体夫々を前記枠体に取付けてある構成とするのが好ましい。
この発明にあっては、板体夫々の立上片が枠形をなすため、該立上片夫々と、複数の枠分体を四角形に連結してある枠体とにより、シャーシの捻れ剛性をより一層高めることができ、比較的大形の光源装置であっても、高剛性のシャーシを備える光源装置のコストを低減できる。
【００１１】
また、本発明に係る光源装置は、前記枠分体夫々は前記枠体の四辺に配してある筒体であり、四辺の角部夫々は、隣合う二つの筒体の一方が、他方の筒体の端末と対向している周面に嵌入孔を有し、他方が、端末よりも外方へ延出され、前記嵌入孔に嵌入されている嵌入軸を有し、該嵌入軸が前記嵌入孔から抜出るのを阻止する抜止手段を備える構成とするのが好ましい。
この発明にあっては、他方の筒体の嵌入軸が一方の筒体の嵌入孔に嵌入されることにより、二つの筒体を直交的に連結することができるため、比較的大形のシャーシの枠体を簡易に高精度の四角形にすることができる。しかも、二つの筒体の連結状態を抜止手段により維持するため、比較的大形の光源装置であっても、高剛性のシャーシを備える光源装置のコストを低減できる。
【００１２】
また、本発明に係る光源装置は、前記枠体は前記立上片夫々の外側に配してある構成とするのが好ましい。
この発明にあっては、並置されている板体の全体を枠体よりも小形にすることができるため、板体をより一層小型の金型により生産性よく成形することができる。
【００１３】
また、本発明に係る光源装置は、前記枠体は前記立上片夫々の内側に配してある構成とするのが好ましい。
この発明にあっては、ランプが発光する光を拡散するための光学シートを枠体に支持することが可能であり、枠体が光学シート支持用のシート受台を兼ねるため、専用のシート受台をなくすることができる。
【００１４】
また、本発明に係る光源装置は、前記枠体は前記板部夫々の外側に配してある構成とするのが好ましい。
この発明にあっては、枠体の内側に凹所ができるため、ランプに接続されるインバータ基板などの基板を、板体と離隔して枠体に取付けることができ、基板の取付構造を簡素化でき、基板の取付作業性を向上することができる。
【発明の効果】
【００１５】
本発明によれば、比較的大形の光源装置であっても、枠体及び板体を有するシャーシを比較的小型の金型により生産性よく成形することができ、しかも、複数の枠分体を四角形に連結してある枠体に、複数の板体が並置して取付けられているため、比較的大形のシャーシを高強度にすることができる。また、板体の一部に不良が発生したとしても、不良が発生している板体だけを交換することによりシャーシを得ることができ、歩留まりを高めることができる。
【発明を実施するための最良の形態】
【００１６】
以下本発明をその実施の形態を示す図面に基づいて詳述する。
実施の形態１
図１は本発明に係る光源装置を備える薄型表示装置の構成を示す正面図、図２は光源装置を備える薄型表示装置の構成を示す側面図、図３はシャーシの構成を示す分解斜視図、図４はシャーシの構成を示す正面図である。
【００１７】
図示した光源装置Ａは、前側に表示面１００ａを有し、略直方体をなす表示部１００を備える薄型表示装置Ｂにおける表示部１００の後側に装着されるもので、四角形の枠体１及び該枠体１の後側端を閉塞する複数の板体２，３，４を有し、前側が開放されている箱形をなすシャーシＣと、該シャーシＣ内に上下に離隔して並置される杆状の複数本のランプ５と、該ランプ５の両端部を保持するホルダと、ランプ５の中間部を板体２，３，４に保持する複数のクリップと、シャーシＣ内に配置され、ランプ５の放射光をシャーシＣの開放部側へ反射させるべき反射板とを備え、板体２，３，４の外面にインバータ回路基板等の電気部品が取付けられる。
【００１８】
ランプ５は両端部に電極を有する冷陰極管であり、夫々のランプ５の電極にインバータ回路基板が接続され、パルス幅変調信号により明るさが制御されるように構成されている。
【００１９】
図５はシャーシＣの枠体１の構成を示す分解斜視図、図６はシャーシＣの枠体１の構成を示す断面図、図７はシャーシＣの枠体１の構成を示す角部の斜視図、図８は図７のVIII−VIII線の断面図である。シャーシＣの枠体１は、断面四角形をなし、離隔して平行的に対向する二つの第１の角筒体１１，１１と、断面四角形をなし、第１の角筒体１１，１１の両端に連結される二つの第２の角筒体１２，１２とを備え、第１及び第２の角筒体１１，１２の短辺の一側面に複数の螺子孔１１ａ，１２ａが長手方向に離隔して開設されている。尚、第１及び第２の角筒体１１，１２が、枠分体及び筒体を構成している。
【００２０】
第１の角筒体１１，１１の一端部は、長辺の一側面を貫通し、短辺側へ離隔して並設された二つの嵌入孔１１ｂ，１１ｂと、長辺の他側面を嵌入孔１１ｂ，１１ｂと向き合う位置で貫通し、嵌入孔１１ｂ，１１ｂよりも小径の二つの挿通孔１１ｃ，１１ｃとを設けてある。
【００２１】
第２の角筒体１２，１２の一端部は、該角筒体１２，１２の内部に嵌入固定されている内嵌部材１３と、該内嵌部材１３に固定され、嵌入孔１１ｂ，１１ｂの夫々に嵌入される二つの嵌入軸１４，１４と、長辺の一側面を貫通し、短辺側へ離隔して並設されている二つの貫通孔１２ｂ，１２ｂとを設けてある。
【００２２】
内嵌部材１３は、第２の角筒体１２，１２の端末を閉塞する矩形をなし、該角筒体１２，１２の長手方向に貫通する二つの挿通孔１３ａ，１３ａを有する外板部１３ｂと、該外板部１３ｂの長辺に連なる二つの内板部１３ｃ，１３ｃとを有し、一方の内板部１３ｃの貫通孔１２ｂ，１２ｂに対応する箇所に二つの螺子孔１３ｄ，１３ｄが開設されており、貫通孔１２ｂ，１２ｂに挿入される頭付きの二つの雄螺子１５，１５が螺子孔１３ｄ，１３ｄに捩込まれることにより第２の角筒体１２，１２内に固定されている。
【００２３】
嵌入軸１４，１４は中心部に螺子孔１４ａ，１４ａを有し、嵌入孔１１ｂ，１１ｂの内径よりも僅かに小径の円柱体からなり、先側の端面が第１の角筒体１１，１１の内面（長辺の他側面）に当接する長さに形成されている。この嵌入軸１４，１４は外板部１３ｂの内側から挿通孔１３ａ，１３ａに挿通される頭付きの雄螺子１６，１６が螺子孔１４ａ，１４ａに捩込まれることにより外板部１３ｂの外面に固定されており、第１の角筒体１１，１１の挿通孔１１ｃ，１１ｃに挿通される頭付きの雄螺子１７，１７が螺子孔１４ａ，１４ａに捩込まれることにより嵌入軸１４，１４が嵌入孔１１ｂ，１１ｂから抜出るのを阻止してある。尚、雄螺子１７，１７が抜止手段を構成している。
【００２４】
以上のように一端部の周面に嵌入孔１１ｂ，１１ｂ及び挿通孔１１ｃ，１１ｃが開設されている第１の角筒体１１，１１の他端部には、嵌入軸１４，１４が固定された内嵌部材１３を雄螺子１５，１５により固定してある。また、一端部に嵌入軸１４，１４が固定された内嵌部材１３を雄螺子１５，１５により固定してある第２の角筒体１２，１２の他端部周面には嵌入孔１１ｂ，１１ｂ及び挿通孔１１ｃ，１１ｃが開設されている。
【００２５】
以上のように構成された枠体１は、離隔して対向する二つの第１の角筒体１１，１１と、第１の角筒体１１，１１の両端に連結される二つの第２の角筒体１２，１２とにより四辺が構成され、四辺の角部夫々は、嵌入孔１１ｂ，１１ｂ及び該嵌入孔１１ｂ，１１ｂに嵌入された嵌入軸１４，１４により連結され、嵌入軸１４，１４の抜出しを雄螺子１７，１７が阻止している。嵌入軸１４，１４は内嵌部材１３に固定され、内嵌部材１３は第２の角筒体１２，１２の一端部、及び第１の角筒体１１，１１の他端部に内嵌固定されている。また、第１及び第２の角筒体１１，１２の螺子孔１１ａ，１２ａに捩込まれる雄螺子６により板体２，３，４が並置して枠体１に取付けられている。
【００２６】
図９は光源装置が備えるシャーシＣの板体２，３，４の構成を示す分解斜視図である。板体２，３，４は、枠体１に対応して略長方形に成形され、第１の角筒体１１，１１の長手方向に沿ってランプ５の長手方向に並置されている。隣合う板体２，３，４の互いに対向する縁部には複数のピン孔２１，３１，４１が縁部に沿って開設され、対向する縁部同士が二つの連結部材７，７により連結されており、また、非対向の周縁部には第１及び第２の角筒体１１，１２の螺子孔１１ａ，１２ａに対応する複数の挿通孔２２，３２，４２が縁部に沿って開設され、挿通孔２２，３２，４２に挿通される雄螺子６が螺子孔１１ａ，１２ａに捩込まれることにより板体２，３，４が枠体１に取付けられている。
【００２７】
また、板体２，３，４の互いに対向する縁部は凹凸をなし、板体２，３，４が並置される際、凹凸同士が噛合うように構成されている。また、凹凸の凸部にピン孔２１，３１，４１が開設されている。
【００２８】
連結部材７は複数の凹凸条を有する鉄板等の柱形をなす帯状板からなり、板体２，３，４の幅に対応する長さに成形されている。また、幅方向両側部にはピン孔２１，３１，４１に対応する複数のピン孔が開設されている。
【００２９】
以上のように構成された光源装置のシャーシＣは、枠体１の後側端、詳しくは第１及び第２の角筒体１１，１２の短辺の一側面に板体２，３，４が並置され、枠体１に対応する周縁部に開設されている挿通孔２２，３２，４２に雄螺子６を挿通し、該雄螺子６を角筒体１１，１２の螺子孔１１ａ，１２ａに捩込むことにより、板体２，３，４を枠体１に固定することができ、また、板体２，３，４の互いに対向する縁部に連結部材７，７が載置され、該連結部材７，７のピン孔から板体２，３，４のピン孔２１，３１，４１にピン８が嵌入されることにより板体２，３，４同士を連結することができる。この際、連結部材７，７の長手方向両端を角筒体１２，１２に雄螺子で固定する構成とすることにより、板体２，３，４の枠体１への固定強度をより一層高くすることができる。
【００３０】
枠体１に固定されている板体２，３，４は、図３、図４に示すように板体２，３，４同士の対向縁部が角筒体１１，１２の連結箇所（枠体の角部）と枠体１の周方向へ離隔しているため、シャーシＣの捻れ剛性をより一層高めることができる。
【００３１】
実施の形態２
図１０は光源装置のシャーシＣの他の構成を示す斜視図である。この枠体１は、離隔して平行的に配置される第１の角筒体１１，１１の両端部周面に嵌入孔１１ｂ，１１ｂ及び挿通孔１１ｃ，１１ｃを開設してあり、第２の角筒体１２，１２の両端部に嵌入軸１４，１４が固定された内嵌部材１３を雄螺子１５，１５により固定してある構成としたものである。第１及び第２の角筒体１１，１２の端部同士は挿通孔１１ｃ，１１ｃから嵌入軸１４，１４の螺子孔１４ａ，１４ａに捩込まれる雄螺子１７，１７により連結されている。
【００３２】
この枠体１にあっては、第１及び第２の角筒体１１，１２の両端部の形状が等しいため、加工する際、及び組立てる際に間違い難くすることができ、加工性、組立性を向上できる。
その他の構成及び作用は実施の形態１と同様であるため、同様の部品については同じ符号を付し、その詳細な説明及び作用効果の説明を省略する。
【００３３】
実施の形態３
図１１は光源装置のシャーシＣの他の構成を示す分解斜視図、図１２はシャーシＣの板体２，３，４の他の構成を示す分解斜視図である。この光源装置は、実施の形態１のようにシャーシＣの板体２，３，４を扁平状とする代わりに、板体２，３，４を、板部２ａ，３ａ，４ａ及び板部２ａ，３ａ，４ａの非対向縁から立上がる立上片２ｂ，３ｂ，４ｂを有する構成とし、立上片２ｂ，３ｂ，４ｂが枠形をなすように板体２，３，４を枠体１に取付けたものである。
【００３４】
枠体１の中央部に配されている板体４は二つの非対向縁に立上片４ｂ，４ｂが立設され、枠体１の両側に配されている板体２，３は三つの非対向縁に立上片２ｂ，３ｂが立設され、立上片２ｂ，３ｂ，４ｂの頂部に、外向きに延出されたフランジ２ｃ，３ｃ，４ｃが設けられている。また、立上片２ｂ，３ｂ，４ｂ及びフランジ２ｃ，３ｃ，４ｃの少なくとも一方には複数の挿通孔２３，３３，４３が開設されている。
【００３５】
枠体１は、第１及び第２の角筒体１１，１２の長辺の一側面、他側面及び短辺の一側面、他側面の少なくとも一方に、立上片２ｂ，３ｂ，４ｂ及びフランジ２ｃ，３ｃ，４ｃの挿通孔２３，３３，４３に対応する螺子孔１１ａ，１２ａが開設されている。
【００３６】
図１３〜図１６はシャーシＣの実施の形態３の構成を示す断面図である。以上のように構成された光源装置のシャーシＣは、図１３〜図１６に示すように立上片２ｂ，３ｂ，４ｂが枠形をなし、板体２，３，４が枠体１に取付けられる。
【００３７】
図１３は立上片２ｂ，３ｂ，４ｂの外側に枠体１が配され、立上片２ｂ，３ｂ，４ｂ及びフランジ２ｃ，３ｃ，４ｃの少なくとも一方に開設されている挿通孔２３，３３，４３へ挿通して螺子孔１１ａ，１２ａに捩込まれる雄螺子６により板体２，３，４が枠体１に取付けられている。
【００３８】
図１４は立上片２ｂ，３ｂ，４ｂの内側に枠体１が配され、立上片２ｂ，３ｂ，４ｂに開設されている挿通孔２３，３３，４３へ挿通して螺子孔１１ａ，１２ａに捩込まれる雄螺子６により板体２，３，４が枠体１に取付けられている。
【００３９】
図１５は板部２ａ，３ａ，４ａの周縁部外側に枠体１が配され、板部２ａ，３ａ，４ａが枠体１に取付けられている。板部２ａ，３ａ，４ａの周縁部には複数の挿通孔２２，３２，４２が開設されており、第１及び第２の角筒体１１，１２の短辺の一側面には複数の螺子孔１１ａ，１２ａが開設されており、挿通孔２２，３２，４２へ挿通して螺子孔１１ａ，１２ａに捩込まれる雄螺子６により板体２，３，４が枠体１に取付けられている。尚、図１５に示す実施の形態では、図１３、図１４の構成の少なくとも一つを組み合わせた構成としてもよい。
【００４０】
図１６はフランジ２ｃ，３ｃ，４ｃの外側に枠体１が配され、フランジ２ｃ，３ｃ，４ｃに開設されている挿通孔２３，３３，４３へ挿通して螺子孔１１ａ，１２ａに捩込まれる雄螺子６により板体２，３，４が枠体１に取付けられている。尚、図１６に示す実施の形態では、図１３、図１４、図１５の構成の少なくとも一つを組み合わせた構成としてもよい。
【００４１】
図１３〜図１６では、板体２，３，４同士の対向縁部が角筒体１１，１２の連結箇所と枠体１の周方向へ離隔しているため、シャーシＣの捻れ剛性をより一層高めることができる。また、図１４のように立上片２ｂ，３ｂ，４ｂの内側に枠体１が配されている構成にあっては、枠体１における角筒体１１，１２の短辺に光学シートの周縁部を載置することができるため、枠体１が光学シート支持用のシート受台を兼ね、専用のシート受台をなくすることができる。また、図１５のように板部２ａ，３ａ，４ａの周縁部外側に枠体１が配されている構成にあっては、枠体１の内側に凹所ができるため、ランプ５に接続されるインバータ基板などの基板を、板体２，３，４夫々と離隔して枠体１に取付けることができ、基板の取付構造を簡素化できる。
その他の構成及び作用は実施の形態１、２と同様であるため、同様の部品については同じ符号を付し、その詳細な説明及び作用効果の説明を省略する。
【００４２】
実施の形態４
図１７は光源装置のシャーシＣの他の構成を示す要部の分解斜視図である。シャーシＣの枠体１は、実施の形態１のように二つの嵌入孔１１ｂ，１１ｂ及び嵌入軸１４，１４を等しい大きさとする代わりに、第２の角筒体１２，１２の一端部及び第１の角筒体１１，１１の他端部に設ける二つの嵌入軸１４，１４の軸長方向と直交する方向の断面積を異ならせ、換言すると円柱形をなす大径の嵌入軸１４ｂと、円柱形をなす小径の嵌入軸１４ｃとを並置し、第１の角筒体１１，１１の一端部及び第２の角筒体１２，１２の他端部に設ける嵌入孔１１ｂ，１１ｂの大きさを嵌入軸１４ｂ，１４ｃの大きさに対応して異ならせ、換言すると大径の嵌入孔と小径の嵌入孔とを開設したものである。
【００４３】
このように構成されたシャーシＣにあっては、四辺の角部夫々を連結して枠体１を形成する際、大径の嵌入軸１４ｂは大径の嵌入孔に、小径の嵌入軸１４ｃは小径の嵌入孔にだけ嵌入することができるため、第１及び第２の角筒体１１，１２の位置を方向付けすることができ、第１及び第２の角筒体１１，１２を間違いなく適正位置に配置することができ、枠体１１の組立作業性を向上できる。
その他の構成及び作用は実施の形態１〜３と同様であるため、同様の部品については同じ符号を付し、その詳細な説明及び作用効果の説明を省略する。
【００４４】
実施の形態５
図１８は光源装置のシャーシＣの他の構成を示す要部の分解斜視図である。シャーシＣの枠体１は、実施の形態１のように二つの嵌入孔１１ｂ，１１ｂ及び嵌入軸１４，１４を備える上、さらに、内嵌部材１３の外板部１３ｂに、第１及び第２の角筒体１１，１２の位置を決めるべき位置決め凸部１８を設け、該位置決め凸部１８が嵌入される位置決め凹部１９を、第１の角筒体１１の一端部周面及び第２の角筒体１２の他端部周面に設けたものである。
【００４５】
位置決め凸部１８は嵌入軸１４，１４と偏倚した位置に突設されており、位置決め凹部１９は嵌入孔１１ｂ，１１ｂと偏倚した位置に開設されている。
【００４６】
このように構成されたシャーシＣにあっては、四辺の角部夫々を連結して枠体１を形成する際、位置決め凸部１８が位置決め凹部１９に嵌入されるときにだけ嵌入軸１４，１４を嵌入孔１１ｂ，１１ｂに嵌入することができるため、第１及び第２の角筒体１１，１２の位置を方向付けすることができ、第１及び第２の角筒体１１，１２を間違いなく適正位置に配置することができ、枠体１の組立作業性を向上できる。
その他の構成及び作用は実施の形態１〜３と同様であるため、同様の部品については同じ符号を付し、その詳細な説明及び作用効果の説明を省略する。
【００４７】
尚、以上説明した実施の形態では並置される複数の板体２，３，４を一つの枠体１に取付けてあるシャーシＣを備える構成としたが、その他、並置される複数の板体２，３，４を複数の枠体１に取付けてあるシャーシＣを備える構成としてもよい。
【００４８】
図１９はシャーシＣの他の構成を示す断面図である。このシャーシＣは、枠体１が複数段に重ね合わされ、この重ね合わされている枠体１，１に、並置されている板体２，３，４の周縁部が雄螺子６などの取付手段により取付けられている。板体２，３，４の周縁部には複数の挿通孔２２，３２，４２が開設されており、また、枠体１の角筒体１１，１２には挿通孔２２，３２，４２に対応する螺子孔１１ａ，１２ａ、及び挿通孔１１ｄ，１２ｃが開設されている。
【００４９】
また、以上説明した実施の形態では、板体２，３，４の互いに対向する縁部を連結部材７により連結したが、その他、連結部材７をなくした構成であってもよい。また、連結部材７をなくした構成の場合、板体２，３，４の互いに対向する縁部を重ね合せ、この重ね合せ縁部を雄螺子などの連結手段により連結する構成としてもよい。
【００５０】
また、以上説明した実施の形態のシャーシＣは三枚の板体２，３，４を並置して枠体１に取付けてある構成としたが、その他、板体２，３，４は二枚又は四枚以上が並置される構成としてもよい。また、板体２，３，４が互いに対向する縁部を凹凸にしたが、その他、凹凸にすることなく、直線状の縁部としてもよい。
【００５１】
また、以上説明した実施の形態では枠体１として、四角形に配される四つの枠分体を備える構成としたが、その他、枠体１は例えばコ字形をなす二つの枠分体を四角形に連結してなる構成としてもよいし、また、五つ以上の枠分体を四角形に連結してなる構成としてもよい。
【００５２】
また、以上説明した実施の形態では枠分体として、四角形に配される四つの角筒体１１，１１、１２，１２を用いたが、その他、枠分体は四角形に配される四つの円筒体、楕円筒体を用いてもよい。この場合、嵌入軸１４，１４を有する筒体の端末は、嵌入孔１１ｂ，１１ｂを有する筒体の周面に対応して円弧状に湾曲する湾曲面とし、嵌入孔１１ｂ，１１ｂを有する一方の筒体の他方の筒体に対する安定性を高めるように構成するのが好ましい。
【００５３】
また、以上説明した実施の形態では第１の角筒体１１，１１の一側面を貫通する嵌入孔１１ｂ，１１ｂを有する構成としたが、その他、第１の角筒体１１，１１の両側面を貫通する嵌入孔１１ｂ，１１ｂと、両側面の嵌入孔１１ｂ，１１ｂに嵌入される嵌入軸１４，１４とを有する構成としてもよい。また、嵌入孔１１ｂ及び嵌入軸１４は夫々二つである他、夫々三つ以上の複数、又は一つであってもよい。また、嵌入孔１１ｂは丸形、嵌入軸１４は円柱形である他、嵌入孔１１ｂを角形とし、嵌入軸１４を角柱形としてもよい。
【００５４】
また、以上説明した実施の形態では第２の角筒体１２，１２内に嵌入固定された内嵌部材１３に嵌入軸１４，１４を設けたが、その他、嵌入軸１４，１４は第２の角筒体１２，１２内に圧入することにより固定してもよいし、また、第２の角筒体１２，１２の開放端に板体を固定し、該板体に嵌入軸１４，１４を設ける構成としてもよく、嵌入軸１４，１４を角筒体１１，１２に設ける手段は特に制限されない。また、嵌入軸１４は二つ以上の複数である他、一つであってもよい。
【図面の簡単な説明】
【００５５】
【図１】本発明に係る光源装置を備える薄型表示装置の構成を示す正面図である。
【図２】本発明に係る光源装置を備える薄型表示装置の構成を示す側面図である。
【図３】本発明に係る光源装置のシャーシの構成を示す分解斜視図である。
【図４】本発明に係る光源装置のシャーシの構成を示す正面図である。
【図５】本発明に係る光源装置のシャーシの枠体の構成を示す分解斜視図である。
【図６】本発明に係る光源装置のシャーシの枠体の構成を示す断面図である。
【図７】本発明に係る光源装置のシャーシの枠体の構成を示す角部の斜視図である。
【図８】図７のVIII−VIII線の断面図である。
【図９】本発明に係る光源装置のシャーシの板体の構成を示す分解斜視図である。
【図１０】本発明に係る光源装置のシャーシの他の構成を示す斜視図である。
【図１１】本発明に係る光源装置のシャーシの他の構成を示す分解斜視図である。
【図１２】本発明に係る光源装置のシャーシの板体の他の構成を示す分解斜視図である。
【図１３】本発明に係る光源装置のシャーシの実施の形態３の構成を示す断面図である。
【図１４】本発明に係る光源装置のシャーシの実施の形態３の構成を示す断面図である。
【図１５】本発明に係る光源装置のシャーシの実施の形態３の構成を示す断面図である。
【図１６】本発明に係る光源装置のシャーシの実施の形態３の構成を示す断面図である。
【図１７】本発明に係る光源装置のシャーシの他の構成を示す要部の分解斜視図である。
【図１８】本発明に係る光源装置のシャーシの他の構成を示す要部の分解斜視図である。
【図１９】本発明に係る光源装置のシャーシの他の構成を示す断面図である。
【符号の説明】
【００５６】
１    枠体
１１  第１の角筒体（筒体、枠分体）
１１ｂ  嵌入孔
１２  第２の角筒体（筒体、枠分体）
１４  嵌入軸
１７  雄螺子（抜止手段）
２    板体
２ａ  板部
２ｂ  立上片
３    板体
３ａ  板部
３ｂ  立上片
４    板体
４ａ  板部
４ｂ  立上片
５    ランプ
Ｃ    シャーシ
【図１】
2009054479.tif 000003
【図２】
2009054479.tif 000004
【図３】
2009054479.tif 000005
【図４】
2009054479.tif 000006
【図５】
2009054479.tif 000007
【図６】
2009054479.tif 000008
【図７】
2009054479.tif 000009
【図８】
2009054479.tif 000010
【図９】
2009054479.tif 000011
【図１０】
2009054479.tif 000012
【図１１】
2009054479.tif 000013
【図１２】
2009054479.tif 000014
【図１３】
2009054479.tif 000015
【図１４】
2009054479.tif 000016
【図１５】
2009054479.tif 000017
【図１６】
2009054479.tif 000018
【図１７】
2009054479.tif 000019
【図１８】
2009054479.tif 000020
【図１９】
2009054479.tif 000021